(57)【要約】【課題】  コンテンツ提供者が意図した表示を得ることのできるデータ放送システムを提供する。【解決手段】  送出システム１は、ＨＤＴＶデータコンテンツをＳＤＴＶモニタに適した解像度に変換してＳＤＴＶデータコンテンツを得るＨＤ／ＳＤ変換部１３と、ＳＤＴＶデータコンテンツ、ＨＤＴＶ映像コンテンツおよびＨＤＴＶデータコンテンツを多重化する多重化部１５とを有する。受信機２は、送出システム１から受信したデータ放送コンテンツをＳＤＴＶデータコンテンツ、ＨＤＴＶ映像コンテンツおよびＨＤＴＶデータコンテンツに分離する多重分離部と、ＨＤＴＶ映像コンテンツを上記ＳＤＴＶモニタに適した解像度に変換してＳＤＴＶ映像コンテンツを得るダウスケール部と、該ＳＤＴＶ映像コンテンツとＳＤＴＶデータコンテンツを合成して上記ＳＤＴＶモニタへの表示データを得る映像・データ合成部とを有する。【選択図】図１
2005277839.tif 000002
【特許請求の範囲】
【請求項１】
ハイビジョン方式の映像およびデータを少なくとも含むデータ放送コンテンツを送出する送出システムと、
前記ハイビジョン方式での表示が可能なハイビジョン用モニタおよび該モニタとは解像度の異なる標準用モニタを選択的に接続可能な受信機とを有し、
前記送出システムは、
前記ハイビジョン方式のデータに対応する前記標準用モニタに表示するための標準データを生成する標準データ生成手段と、
前記標準データ生成手段で生成された標準データと前記ハイビジョン方式の映像およびデータとを多重化して前記データ放送コンテンツを得る多重化部とを有し、
前記受信機は、
前記送出システムから受信したデータ放送コンテンツを前記ハイビジョン方式の映像およびデータならびに標準データのそれぞれに分離する多重分離部と、
前記多重分離部で分離されたハイビジョン方式の映像およびデータを合成して前記ハイビジョン用モニタへの表示データを得る第１の映像・データ合成部と、
前記多重分離部で分離されたハイビジョン方式の映像を前記標準用モニタに適した解像度に変換して標準映像を得る第１のダウンスケール部と、
前記多重分離部で分離された標準データと前記第１のダウンスケール部にて得られた標準映像とを合成して前記標準用モニタへの表示データを得る第２の映像・データ合成部とを有することを特徴とするデータ放送システム。
【請求項２】
前記標準データ生成手段は、前記ハイビジョン方式のデータを前記標準用モニタに適した解像度に変換して前記標準データを得る変換部よりなる、請求項１に記載のデータ放送システム。
【請求項３】
前記送出システムは、
前記ハイビジョン方式の映像から第１のオブジェクトを抽出してその位置情報を取得する第１のオブジェクト抽出部と、
前記第１のオブジェクト抽出部で取得した位置情報と予め与えられている前記第１のオブジェクトの詳細情報とを関連付けたハイビジョン用オブジェクト連動データを生成し、該生成したハイビジョン用オブジェクト連動データを前記ハイビジョン方式のデータとして前記多重化部に供給する第１のオブジェクト連動データ生成部とをさらに有し、
前記標準データ生成手段は、
前記ハイビジョン方式の映像を前記標準用モニタに適した解像度に変換して標準映像を得る第２のダウンスケール部と、
前記第２のダウンスケール部で得られた標準映像から第２のオブジェクトを抽出してその位置情報を取得する第２のオブジェクト抽出部と、
前記第２のオブジェクト抽出部で取得した位置情報と予め与えられている前記第２のオブジェクトの詳細情報とを関連付けた標準用オブジェクト連動データを生成し、該生成した標準用オブジェクト連動データを前記標準データとして前記多重化部に供給する第２のオブジェクト連動データ生成部とからなる、請求項１に記載のデータ放送システム。
【請求項４】
ハイビジョン方式の映像およびデータを含むデータ放送コンテンツを送出する送出システムと、
前記ハイビジョン方式での表示が可能なハイビジョン用モニタおよび該モニタとは解像度の異なる標準用モニタを選択的に接続可能な受信機とを有し、
前記受信機は、
前記送出システムから受信したデータ放送コンテンツを前記ハイビジョン方式の映像およびデータに分離する多重分離部と、
前記多重分離部で分離されたハイビジョン方式の映像およびデータを合成して前記ハイビジョン用モニタへの表示データを得る第１の映像・データ合成部と、
前記多重分離部で分離されたハイビジョン方式の映像を前記標準用モニタに適した解像度に変換して標準映像を得るダウンスケール部と、
前記多重分離部で分離されたハイビジョン方式のデータを前記標準用モニタに適した解像度に変換して標準データを得る変換部と、
前記変換部で得られた標準データと前記ダウンスケール部で得られた標準映像とを合成して前記標準用モニタへの表示データを得る第２の映像・データ合成部とを有することを特徴とするデータ放送システム。
【請求項５】
前記変換部は、前記ハイビジョン方式のデータであるＢＭＬ文書に含まれている所定の記述を前記標準用モニタに適した解像度の記述に変換する、請求項２または４に記載のデータ放送システム。
【請求項６】
前記所定の記述がモニタ画面に表示される文字のフォントのサイズに関する記述である、請求項５に記載のデータ放送システム。
【請求項７】
前記所定の記述がモニタ画面に表示される文字のフォントの種類に関する記述である、請求項５に記載のデータ放送システム。
【請求項８】
前記所定の記述がモニタ画面に表示される図形の大きさに関する記述である、請求項５に記載のデータ放送システム。
【請求項９】
前記所定の記述がモニタ画面に表示される文字または図形の表示位置に関する記述である、請求項５に記載のデータ放送システム。
【請求項１０】
前記所定の記述がモニタ画面に表示される表の線の幅に関する記述である、請求項５に記載のデータ放送システム。
【請求項１１】
前記受信機は、前記標準用モニタとして表示特性の異なる複数の標準用モニタが接続可能であり、
前記変換部が、前記標準データとして前記複数の標準用モニタのそれぞれの表示特性に適した複数の標準データを生成し、
前記第２の映像・データ合成部が、前記変換部で生成した複数の標準データのそれぞれと前記標準映像とを合成して前記複数の標準用モニタへの表示データをそれぞれ得る、請求項５に記載のデータ放送システム。
【請求項１２】
前記受信機は、前記標準用モニタとして画面の縦横比の異なる第１および第２の標準用モニタが接続可能であり、
前記変換部が、前記標準データとして前記第１および第２の標準用モニタのそれぞれに適した第１および第２の標準データを生成し、
前記第２の映像・データ合成部が、前記第１よび第２の標準データのそれぞれと前記標準映像とを合成して前記第１および第２の標準用モニタへの表示データをそれぞれ得る、請求項５に記載のデータ放送システム。
【請求項１３】
ハイビジョン方式での表示が可能なハイビジョン用モニタおよび該モニタとは解像度の異なる標準用モニタを選択的に接続可能な受信機に、前記ハイビジョン方式の映像およびデータを少なくとも含むデータ放送コンテンツを送出する送出システムにおいて、
前記ハイビジョン方式のデータに対応する前記標準用モニタに表示するための標準データを生成する標準データ生成手段と、
前記標準データ生成手段で生成された標準データと前記ハイビジョン方式の映像およびデータとを多重化して前記データ放送コンテンツを得る多重化部とを有することを特徴とする送出システム。
【請求項１４】
前記標準データ生成手段は、前記ハイビジョン方式のデータを前記標準用モニタに適した解像度に変換して前記標準データを得る変換部よりなる、請求項１３に記載の送出システム。
【請求項１５】
前記変換部は、前記ハイビジョン方式のデータであるＢＭＬ文書に含まれている所定の記述を前記標準用モニタに適した解像度の記述に変換する、請求項１４に記載の送出システム。
【請求項１６】
前記所定の記述がモニタ画面に表示される文字のフォントのサイズに関する記述である、請求項１５に記載の送出システム。
【請求項１７】
前記所定の記述がモニタ画面に表示される文字のフォントの種類に関する記述である、請求項１５に記載の送出システム。
【請求項１８】
前記所定の記述がモニタ画面に表示される図形の大きさに関する記述である、請求項１５に記載の送出システム。
【請求項１９】
前記所定の記述がモニタ画面に表示される文字または図形の表示位置に関する記述である、請求項１５に記載の送出システム。
【請求項２０】
前記所定の記述がモニタ画面に表示される表の線の幅に関する記述である、請求項１５に記載の送出システム。
【請求項２１】
前記受信機は、前記標準用モニタとして表示特性の異なる複数の標準用モニタが接続可能であり、
前記変換部が、前記標準データとして前記複数の標準用モニタのそれぞれの表示特性に適した複数の標準データを生成する、請求項１５に記載の送出システム。
【請求項２２】
前記受信機は、前記標準用モニタとして画面の縦横比の異なる第１および第２の標準用モニタが接続可能であり、
前記変換部が、前記標準データとして前記第１および第２の標準用モニタのそれぞれに適した第１および第２の標準データを生成する、請求項１５に記載の送出システム。
【請求項２３】
前記ハイビジョン方式の映像から第１のオブジェクトを抽出してその位置情報を取得する第１のオブジェクト抽出部と、
前記第１のオブジェクト抽出部で取得した位置情報と予め与えられている前記第１のオブジェクトの詳細情報とを関連付けたハイビジョン用オブジェクト連動データを生成し、該生成したハイビジョン用オブジェクト連動データを前記ハイビジョン方式のデータとして前記多重化部に供給する第１のオブジェクト連動データ生成部とをさらに有し、
前記標準データ生成手段は、
前記ハイビジョン方式の映像を前記標準用モニタに適した解像度に変換して標準映像を得るダウンスケール部と、
前記ダウンスケール部で得られた標準映像から第２のオブジェクトを抽出してその位置情報を取得する第２のオブジェクト抽出部と、
前記第２のオブジェクト抽出部で取得した位置情報と予め与えられている前記第２のオブジェクトの詳細情報とを関連付けた標準用オブジェクト連動データを生成し、該生成した標準用オブジェクト連動データを前記標準データとして前記多重化部に供給する第２のオブジェクト連動データ生成部とからなる、請求項１３に記載の送出システム。
【請求項２４】
ハイビジョン方式での表示が可能なハイビジョン用モニタおよび該モニタとは解像度の異なる標準用モニタを選択的に接続可能な受信機において、
前記ハイビジョン方式の映像およびデータと該データに対応する前記標準用モニタに表示するための標準データとを多重化したデータ放送コンテンツを受信する受信部と、
前記受信部で受信したデータ放送コンテンツを前記ハイビジョン方式の映像およびデータならびに標準データのそれぞれに分離する多重分離部と、
前記多重分離部で分離されたハイビジョン方式の映像およびデータを合成して前記ハイビジョン用モニタへの表示データを得る第１の映像・データ合成部と、
前記多重分離部で分離されたハイビジョン方式の映像を前記標準用モニタに適した解像度に変換して標準映像を得るダウンスケール部と、
前記多重分離部で分離された標準データと前記ダウンスケール部にて得られた標準映像とを合成して前記標準用モニタへの表示データを得る第２の映像・データ合成部とを有することを特徴とする受信機。
【請求項２５】
ハイビジョン方式での表示が可能なハイビジョン用モニタおよび該モニタとは解像度の異なる標準用モニタを選択的に接続可能な受信機において、
前記ハイビジョン方式の映像およびデータを多重化したデータ放送コンテンツを受信する受信部と、
前記受信部で受信したデータ放送コンテンツを前記ハイビジョン方式の映像およびデータに分離する多重分離部と、
前記多重分離部で分離されたハイビジョン方式の映像およびデータを合成して前記ハイビジョン用モニタへの表示データを得る第１の映像・データ合成部と、
前記多重分離部で分離されたハイビジョン方式の映像を前記標準用モニタに適した解像度に変換して標準映像を得るダウンスケール部と、
前記多重分離部で分離されたハイビジョン方式のデータを前記標準用モニタに適した解像度に変換して標準データを得る変換部と、
前記変換部で得られた標準データと前記ダウンスケール部で得られた標準映像とを合成して前記標準用モニタへの表示データを得る第２の映像・データ合成部とを有することを特徴とする受信機。
【請求項２６】
前記変換部は、前記ハイビジョン方式のデータであるＢＭＬ文書に含まれている所定の記述を前記標準用モニタに適した解像度の記述に変換する、請求項２５に記載の受信機。
【請求項２７】
前記所定の記述がモニタ画面に表示される文字のフォントのサイズに関する記述である、請求項２６に記載の受信機。
【請求項２８】
前記所定の記述がモニタ画面に表示される文字のフォントの種類に関する記述である、請求項２６に記載の受信機。
【請求項２９】
前記所定の記述がモニタ画面に表示される図形の大きさに関する記述である、請求項２６に記載の受信機。
【請求項３０】
前記所定の記述がモニタ画面に表示される文字または図形の表示位置に関する記述である、請求項２６に記載の受信機。
【請求項３１】
前記所定の記述がモニタ画面に表示される表の線の幅に関する記述である、請求項２６に記載の受信機。
【請求項３２】
前記標準用モニタとして表示特性の異なる複数の標準用モニタが接続可能であり、
前記変換部が、前記標準データとして前記複数の標準用モニタのそれぞれの表示特性に適した複数の標準データを生成し、
前記第２の映像・データ合成部が、前記変換部で生成した複数の標準データのそれぞれと前記標準映像とを合成して前記複数の標準用モニタへの表示データをそれぞれ得る、請求項２６に記載の受信機。
【請求項３３】
前記標準用モニタとして画面の縦横比の異なる第１および第２の標準用モニタが接続可能であり、
前記変換部が、前記標準データとして前記第１および第２の標準用モニタのそれぞれに適した第１および第２の標準データを生成し、
前記第２の映像・データ合成部が、前記第１よび第２の標準データのそれぞれと前記標準映像とを合成して前記第１および第２の標準用モニタへの表示データをそれぞれ得る、請求項２６に記載の受信機。
【請求項３４】
ハイビジョン方式の映像およびデータを少なくとも含むデータ放送コンテンツを送出する送出システムと、前記ハイビジョン方式での表示が可能なハイビジョン用モニタおよび該モニタとは解像度の異なる標準用モニタを選択的に接続可能な受信機とを有するデータ放送システムにおいて行われるフォーマット変換方法であって、
前記送出システムが、前記ハイビジョン方式の映像およびデータと該データに対応する前記標準用モニタに表示するための標準データとを多重化した前記データ放送コンテンツデータを送出する第１のステップと、
前記受信機が、前記送出システムから受信したデータ放送コンテンツを前記ハイビジョン方式の映像およびデータならびに標準データのそれぞれに分離し、該分離したハイビジョン方式の映像を前記標準用モニタに適した解像度に変換して標準映像を得、該得られた標準映像と前記分離した標準データとを合成して前記標準用モニタへの表示データを得る第２のステップとを含むフォーマット変換方法。
【請求項３５】
前記第１のステップは、前記ハイビジョン方式のデータを前記標準用モニタに適した解像度に変換して前記標準データを得るステップを含む、請求項３４に記載のフォーマット変換方法。
【請求項３６】
前記第１のステップは、
前記ハイビジョン方式の映像から第１のオブジェクトを抽出してその位置情報を取得し、該取得した位置情報と予め与えられている前記第１のオブジェクトの詳細情報とを関連付けて、前記ハイビジョン方式のデータであるハイビジョン用オブジェクト連動データを生成するステップと、
前記ハイビジョン方式の映像を前記標準用モニタに適した解像度に変換して標準映像を得るステップと、
前記得られた標準映像から第２のオブジェクトを抽出してその位置情報を取得し、該取得した位置情報と予め与えられている前記第２のオブジェクトの詳細情報とを関連付けて、前記標準データである標準用オブジェクト連動データを生成するステップとを含む、請求項３４に記載のフォーマット変換方法。
【請求項３７】
ハイビジョン方式での表示が可能なハイビジョン用モニタおよび該モニタとは解像度の異なる標準用モニタを選択的に接続可能な受信機において行われるフォーマット変換方法であって、
前記ハイビジョン方式の映像およびデータを多重化したデータ放送コンテンツを受信する第１のステップと、
前記第１のステップで受信したデータ放送コンテンツを前記ハイビジョン方式の映像およびデータに分離する第２のステップと、
前記第２のステップで分離したハイビジョン方式の映像を前記標準用モニタに適した解像度に変換して標準映像を得る第３のステップと、
前記第２のステップで分離したハイビジョン方式のデータを前記標準用モニタに適した解像度に変換して標準データを得る第４のステップと、
前記第４のステップ得られた標準データと前記第３のステップで得られた標準映像とを合成して前記標準用モニタへの表示データを得る第５のステップとを含むフォーマット変換方法。
【発明の詳細な説明】
【技術分野】
【０００１】
本発明は、デジタル放送に関し、特に、ハイビジョン方式対応のデータ放送システムおよびフォーマット変換方法に関する。
【背景技術】
【０００２】
最近、地上波デジタル放送によるデータ放送サービスが注目を浴びている。データ放送サービスは、地上波でテレビの映像や音声を送ると同時に、画像（図形を含む）や文字などのデータ放送番組も送る、というものである。データ放送番組としては、ニュース、交通情報、気象情報、株価情報などの番組がある。このようなデジタル放送の受信には、専用の受信機（ＩＲＤ：Integrated Receiver / Decoder）を使用する。
【０００３】
通常、ＩＲＤは、ＨＤＴＶ（High Definition Television）モニタとＳＤＴＶ（Standard definition Television）モニタの２種類のモニタを接続することができる。デジタル放送の方式（フォーマット）には、ＨＤＴＶ放送方式とＳＤＴＶ放送方式があり、ＩＲＤでは、受信した映像の放送方式（フォーマット）が接続されているモニタと対応しない場合には、映像フォーマットの変換が行われる。例えば、ＳＤＴＶモニタが接続された状態で、ＨＤＴＶ方式の映像を受信した場合は、その受信したＨＤＴＶ方式の映像をＳＤＴＶモニタで表示できる適切な解像度に変換する、ダウンコンバートと呼ばれるフォーマット変換が行われる。他方、ＨＤＴＶモニタが接続されている状態で、ＳＤＴＶ方式の映像を受信した場合は、その受信したＳＤＴＶ方式の映像をＨＤＴＶモニタに表示できる最適な解像度に変換する、アップコンバートと呼ばれるフォーマット変換が行われる（特許文献１参照）。
【０００４】
図２０に、従来のデータ放送システムの概略構成を示す。このデータ放送システムは、ＨＤＴＶ放送方式を採用するシステムであって、データ放送コンテンツを送出する送出システム１００と、送出システム１００からのデータ放送コンテンツを受信する受信機（ＩＲＤ）２００とからなる。
【０００５】
送出システム１００は、予め用意されたＨＤＴＶ映像コンテンツ１０１およびＨＤＴＶデータコンテンツ１０２が供給され、これらコンテンツを多重化する多重化部１０３と、多重化されたコンテンツを変調する変調部１０４と、変調されたコンテンツ（データ放送コンテンツ）を送信するＲＦ送信部１０５とを有する。ＨＤＴＶ映像コンテンツ１０１は、ＨＤＴＶ用の映像および音声のデータからなる。ＨＤＴＶデータコンテンツ１０２は、ＨＤＴＶ映像コンテンツ１０１と連動して送出されるデータ放送のコンテンツであって、画像（図形を含む）や文字などのデータを含む。
【０００６】
ＩＲＤ２００は、送出システム１００からのデータ放送コンテンツを受信するＲＦ受信部２０１と、受信したデータ放送コンテンツを復調する復調部２０２と、復調されたコンテンツをＨＤＴＶ映像コンテンツ２０４とＨＤＴＶデータコンテンツ２０５に分離する多重分離部２０６と、ＨＤＴＶ映像コンテンツ２０４とＨＤＴＶデータコンテンツ２０５を合成してＨＤＴＶ用表示データを得る映像・データ合成部２０６と、ＨＤＴＶ用表示データを外部出力するためのＨＤＴＶ用出力端子２０７と、ＨＤＴＶ用表示データをＳＤＴＶモニタに適した解像度にダウンスケール（ダウンコンバート）してＳＤＴＶ用表示データを得るダウンスケール部２０８と、ＳＤＴＶ用表示データを外部出力するためのＳＤＴＶ用出力端子２０９とを有する。
【０００７】
上記のデータ放送システムでは、ＩＲＤ２００のＨＤＴＶ用出力端子２０７にＨＤＴＶモニタを接続した場合は、ＨＤＴＶ用表示データがそのままＨＤＴＶモニタに表示される。他方、ＩＲＤ２００のＳＤＴＶ用出力端子２０９にＳＤＴＶモニタを接続した場合は、ＨＤＴＶ用表示データをダウンスケールして得られるＳＤＴＶ用表示データがＳＤＴＶモニタに表示される。
【特許文献１】特開平２００４−４０６９６号公報
【発明の開示】
【発明が解決しようとする課題】
【０００８】
しかしながら、従来のデータ放送システムは、ＨＤＴＶ用表示データをダウンスケールしてＳＤＴＶ用表示データを得るようになっているため、以下のような問題がある。
【０００９】
ダウンスケールでは、ＨＤＴＶ用表示データの情報を部分的に削ってＳＤＴＶ用表示データを得る。このため、ＳＤＴＶモニタに表示されるデータ（映像コンテンツおよびデータコンテンツ）に部分的な情報の欠落を生じる。この部分的な情報の欠落は、人間の眼の性質上、映像コンテンツの表示にはあまり影響しないが、データコンテンツの表示においては、文字や図形の潰れといった画質劣化の問題を引き起こす。
【００１０】
図２１に、ダウンスケールによるデータコンテンツの画質劣化を模式的に示す。この例では、「Ａ」という文字が画面中央に大きく表示されるＨＤＴＶ用表示データを走査ライン単位で部分的に情報を削除することでＳＤＴＶ用表示データを得るようになっている。この場合、ＳＤＴＶ用表示データをＳＤＴＶモニタで表示すると、「Ａ」という文字が潰れて表示されることになる。このような文字の潰れは、人間の眼には特に認識され易い。
【００１１】
また、最近では、放送される映像の中のオブジェクト（人や物など）とそれに関連するデータとを関連付けて送信するオブジェクト連動データ放送システムも開発され、一部実現されている。このオブジェクト連動データ放送は、表示画面上のオブジェクト、例えば美術品をポインタなどにより指定入力すると、その美術品に関する詳細な情報（例えば、美術品の名称やその歴史、現在展示している場所など）が画面上に表示される、というものである。ＨＤＴＶ方式のデジタル放送において、そのようなオブジェクト連動データ放送を適用すると、ダウンスケールによる以下のような問題を生じる。
【００１２】
送出システムでは、ＨＤＴＶ用表示データと、このＨＤＴＶ用表示データにおけるオブジェクトに関する位置情報と詳細情報を関連付けたオブジェクト連動データ（データコンテンツ）とが一緒に送信される。ここで、オブジェクトの位置情報は、画面上での表示位置であり、オブジェクトの詳細情報の表示は、その表示位置とリンクした形で行われる。しかし、上述したようにＨＤＴＶ用表示データをダウンスケールしてＳＤＴＶモニタに表示する場合は、映像コンテンツの情報の欠落が生じるために、表示画面上におけるオブジェクトの位置とオブジェクトの詳細情報が正しくリンクされなくなる。この結果、ＳＤＴＶモニタの画面上で、オブジェクトを指定入力しても詳細情報が正しく表示されない、といった問題が生じる。
【００１３】
図２２に、オブジェクト連動データとＨＤＴＶ用表示データおよびＳＤＴＶ用表示データとの関係を模式的に示す。この例では、ＨＤＴＶ映像コンテンツおよびＨＤＴＶデータコンテンツを多重化したデータ放送コンテンツ３００からＨＤＴＶ用表示データ３０１が生成され、このＨＤＴＶ用表示データ３０１をダウンスケールしてＳＤＴＶ用表示データ３０２が生成される。また、ＨＤＴＶ映像コンテンツからオブジェクト連動データ３０３が生成される。
【００１４】
ＨＤＴＶ用表示データ３０１をＨＤＴＶモニタに表示した場合は、表示画面上におけるオブジェクト位置とオブジェクト連動データ３０３とは正しくリンクされる。よって、オブジェクトを指定入力すると、詳細情報が正しく表示される。他方、ＨＤＴＶ用表示データ３０１をダウンスケールして得られたＳＤＴＶ用表示データ３０２をＳＤＴＶモニタに表示した場合は、情報の欠落のために、表示画面上におけるオブジェクト位置とオブジェクト連動データ３０３とは正しくリンクされない。よって、オブジェクトを指定入力した際に詳細情報が正しく表示されない。
【００１５】
以上のように、ＨＤＴＶ用表示データをダウンスケールしてＳＤＴＶ用表示データを得る従来の手法においては、情報の欠落が生じるために、データ放送コンテンツの提供者（放送事業者等）が意図した表示を得られない、という問題がある。
【００１６】
本発明の目的は、上記の問題を解決し、データ放送コンテンツの提供者が意図した表示を得ることのできる、データ放送システムおよび映像フォーマット変換方法を提供することにある。
【課題を解決するための手段】
【００１７】
上記目的を達成するため、本発明のデータ放送システムは、
ハイビジョン方式の映像およびデータを少なくとも含むデータ放送コンテンツを送出する送出システムと、
前記ハイビジョン方式での表示が可能なハイビジョン用モニタおよび該モニタとは解像度の異なる標準用モニタを選択的に接続可能な受信機とを有し、
前記送出システムは、
前記ハイビジョン方式のデータに対応する前記標準用モニタに表示するための標準データを生成する標準データ生成手段と、
前記標準データ生成手段で生成された標準データと前記ハイビジョン方式の映像およびデータとを多重化して前記データ放送コンテンツを得る多重化部とを有し、
前記受信機は、
前記送出システムから受信したデータ放送コンテンツを前記ハイビジョン方式の映像およびデータならびに標準データのそれぞれに分離する多重分離部と、
前記多重分離部で分離されたハイビジョン方式の映像およびデータを合成して前記ハイビジョン用モニタへの表示データを得る第１の映像・データ合成部と、
前記多重分離部で分離されたハイビジョン方式の映像を前記標準用モニタに適した解像度に変換して標準映像を得る第１のダウンスケール部と、
前記多重分離部で分離された標準データと前記第１のダウンスケール部にて得られた標準映像とを合成して前記標準用モニタへの表示データを得る第２の映像・データ合成部とを有することを特徴とする。
【００１８】
上記の構成によれば、標準用モニタの表示データは、ハイビジョン方式の映像およびデータを合成したハイビジョン用の表示データの情報を部分的に削って生成するのではなく、標準用モニタ用に生成された標準データとハイビジョン方式の映像をダウンスケールして得られた標準映像とを用いて生成される。この場合、映像に関しては情報の欠落を生じるものの、データに関しては情報の欠落は生じない。よって、提供者が意図した表示が可能となる。
【００１９】
上記のデータ放送システムにおいて、前記標準データ生成手段は、前記ハイビジョン方式のデータを前記標準用モニタに適した解像度に変換して前記標準データを得る変換部より構成されてもよい。この場合も、標準用モニタに適した解像度に変換された標準データが用いられるので、情報の欠落は生じない。
【００２０】
また、前記送出システムは、前記ハイビジョン方式の映像から第１のオブジェクトを抽出してその位置情報を取得する第１のオブジェクト抽出部と、前記第１のオブジェクト抽出部で取得した位置情報と予め与えられている前記第１のオブジェクトの詳細情報とを関連付けたハイビジョン用オブジェクト連動データを生成し、該生成したハイビジョン用オブジェクト連動データを前記ハイビジョン方式のデータとして前記多重化部に供給する第１のオブジェクト連動データ生成部とをさらに有し、前記標準データ生成手段は、前記ハイビジョン方式の映像を前記標準用モニタに適した解像度に変換して標準映像を得る第２のダウンスケール部と、前記第２のダウンスケール部で得られた標準映像から第２のオブジェクトを抽出してその位置情報を取得する第２のオブジェクト抽出部と、前記第２のオブジェクト抽出部で取得した位置情報と予め与えられている前記第２のオブジェクトの詳細情報とを関連付けた標準用オブジェクト連動データを生成し、該生成した標準用オブジェクト連動データを前記標準データとして前記多重化部に供給する第２のオブジェクト連動データ生成部とから構成されてもよい。この構成によれば、標準用オブジェクト連動データは、標準用モニタの画面に表示されるオブジェクトの位置と正しくリンクされるので、従来のような、オブジェクトを指定入力した際に詳細情報が正しく表示されない、といった問題は生じない。
【００２１】
本発明の別のデータ放送システムは、
ハイビジョン方式の映像およびデータを含むデータ放送コンテンツを送出する送出システムと、
前記ハイビジョン方式での表示が可能なハイビジョン用モニタおよび該モニタとは解像度の異なる標準用モニタを選択的に接続可能な受信機とを有し、
前記受信機は、
前記送出システムから受信したデータ放送コンテンツを前記ハイビジョン方式の映像およびデータに分離する多重分離部と、
前記多重分離部で分離されたハイビジョン方式の映像およびデータを合成して前記ハイビジョン用モニタへの表示データを得る第１の映像・データ合成部と、
前記多重分離部で分離されたハイビジョン方式の映像を前記標準用モニタに適した解像度に変換して標準映像を得るダウンスケール部と、
前記多重分離部で分離されたハイビジョン方式のデータを前記標準用モニタに適した解像度に変換して標準データを得る変換部と、
前記変換部で得られた標準データと前記ダウンスケール部で得られた標準映像とを合成して前記標準用モニタへの表示データを得る第２の映像・データ合成部とを有することを特徴とする。
【００２２】
上記の構成においても、標準用モニタの表示データは、標準用モニタ用に生成された標準データを用いて生成されるので、データに関する情報の欠落は生じない。よって、提供者が意図した表示が可能である。
【００２３】
本発明の送出システムは、ハイビジョン方式での表示が可能なハイビジョン用モニタおよび該モニタとは解像度の異なる標準用モニタを選択的に接続可能な受信機に、前記ハイビジョン方式の映像およびデータを少なくとも含むデータ放送コンテンツを送出する送出システムにおいて、前記ハイビジョン方式のデータに対応する前記標準用モニタに表示するための標準データを生成する標準データ生成手段と、前記標準データ生成手段で生成された標準データと前記ハイビジョン方式の映像およびデータとを多重化して前記データ放送コンテンツを得る多重化部とを有することを特徴とする。この構成によれば、上述した本発明のデータ放送システムを実現することが可能である。
【００２４】
本発明の受信機は、ハイビジョン方式での表示が可能なハイビジョン用モニタおよび該モニタとは解像度の異なる標準用モニタを選択的に接続可能な受信機において、前記ハイビジョン方式の映像およびデータと該データの対応する前記標準用モニタに表示するための標準データとを多重化したデータ放送コンテンツを受信する受信部と、前記受信部で受信したデータ放送コンテンツを前記ハイビジョン方式の映像およびデータならびに標準データのそれぞれに分離する多重分離部と、前記多重分離部で分離されたハイビジョン方式の映像およびデータを合成して前記ハイビジョン用モニタへの表示データを得る第１の映像・データ合成部と、前記多重分離部で分離されたハイビジョン方式の映像を前記標準用モニタに適した解像度に変換して標準映像を得るダウンスケール部と、前記多重分離部で分離された標準データと前記ダウンスケール部にて得られた標準映像とを合成して前記標準用モニタへの表示データを得る第２の映像・データ合成部とを有することを特徴とする。この構成によれば、上述した本発明のデータ放送システムを実現することが可能である。
【００２５】
本発明の別の受信機は、ハイビジョン方式での表示が可能なハイビジョン用モニタおよび該モニタとは解像度の異なる標準用モニタを選択的に接続可能な受信機において、前記ハイビジョン方式の映像およびデータを多重化したデータ放送コンテンツを受信する受信部と、前記受信部で受信したデータ放送コンテンツを前記ハイビジョン方式の映像およびデータに分離する多重分離部と、前記多重分離部で分離されたハイビジョン方式の映像およびデータを合成して前記ハイビジョン用モニタへの表示データを得る第１の映像・データ合成部と、前記多重分離部で分離されたハイビジョン方式の映像を前記標準用モニタに適した解像度に変換して標準映像を得るダウンスケール部と、前記多重分離部で分離されたハイビジョン方式のデータを前記標準用モニタに適した解像度に変換して標準データを得る変換部と、前記変換部で得られた標準データと前記ダウンスケール部で得られた標準映像とを合成して前記標準用モニタへの表示データを得る第２の映像・データ合成部とを有することを特徴とする。この構成によれば、上述した本発明の別のデータ放送システムを実現することが可能である。
【００２６】
本発明のフォーマット変換方法は、ハイビジョン方式の映像およびデータを少なくとも含むデータ放送コンテンツを送出する送出システムと、前記ハイビジョン方式での表示が可能なハイビジョン用モニタおよび該モニタとは解像度の異なる標準用モニタを選択的に接続可能な受信機とを有するデータ放送システムにおいて行われるフォーマット変換方法であって、前記送出システムが、前記ハイビジョン方式の映像およびデータと該データに対応する前記標準用モニタに表示するための標準データとを多重化した前記データ放送コンテンツデータを送出する第１のステップと、前記受信機が、前記送出システムから受信したデータ放送コンテンツを前記ハイビジョン方式の映像およびデータならびに標準データのそれぞれに分離し、該分離したハイビジョン方式の映像を前記標準用モニタに適した解像度に変換して標準映像を得、該得られた標準映像と前記分離した標準データとを合成して前記標準用モニタへの表示データを得る第２のステップとを含むことを特徴とする。この方法においても、上述した本発明にデータ放送システムと同様な作用を奏する。
【００２７】
本発明の別のフォーマット変換方法は、ハイビジョン方式での表示が可能なハイビジョン用モニタおよび該モニタとは解像度の異なる標準用モニタを選択的に接続可能な受信機において行われるフォーマット変換方法であって、前記ハイビジョン方式の映像およびデータを多重化したデータ放送コンテンツを受信する第１のステップと、前記第１のステップで受信したデータ放送コンテンツを前記ハイビジョン方式の映像およびデータに分離する第２のステップと、前記第２のステップで分離したハイビジョン方式の映像を前記標準用モニタに適した解像度に変換して標準映像を得る第３のステップと、前記第２のステップで分離したハイビジョン方式のデータを前記標準用モニタに適した解像度に変換して標準データを得る第４のステップと、前記第４のステップ得られた標準データと前記第３のステップで得られた標準映像とを合成して前記標準用モニタへの表示データを得る第５のステップとを含むことを特徴とする。この方法においても、上述した本発明の別のデータ放送システムと同様な作用を奏する。
【発明の効果】
【００２８】
上記のとおり、本発明によれば、ハイビジョン方式のデータ放送コンテンツを標準用モニタで表示する場合に、データに関する情報の欠落が生じることがないので、提供者が意図した表示を行うことができ、従来のものより高画質の放送システムを提供することができる。
【００２９】
本発明のうち、標準用オブジェクト連動データを生成するものにおいては、ハイビジョン方式のデータ放送コンテンツを標準用モニタで表示する場合に、画面上で指定したオブジェクトの詳細情報を正しく表示させることができる。
【発明を実施するための最良の形態】
【００３０】
次に、本発明の実施形態について図面を参照して説明する。
【００３１】
（実施形態１）
図１は、本発明の第１の実施形態であるデータ放送システムの概略構成を示すブロック図である。このデータ放送システムは、データ放送コンテンツを送出する送出システム１と、送出システム１からのデータ放送コンテンツを受信する受信機（ＩＲＤ）２とからなる。
【００３２】
送出システム１は、ＨＤＴＶ映像コンテンツ１１およびＨＤＴＶデータコンテンツ１２が予め格納された記憶装置（不図示）、ＨＤ／ＳＤ変換部１３、多重化部１５、変調部１６およびＲＦ送信部１７からなる。ＨＤＴＶ映像コンテンツ１１およびＨＤＴＶデータコンテンツ１２は、記憶装置から適宜に読み出される。この記憶装置から読み出されたコンテンツのうち、ＨＤＴＶ映像コンテンツ１１は多重化部１５に供給され、ＨＤＴＶデータコンテンツ１２は多重化部１５およびＨＤ／ＳＤ変換部１３のそれぞれに供給される。
【００３３】
ＨＤ／ＳＤ変換部１３は、記憶装置から供給されるＨＤＴＶデータコンテンツ１２をＨＤ／ＳＤ変換（フォーマット変換）してＳＤＴＶデータコンテンツ１４を得るものであって、その出力であるＳＤＴＶデータコンテンツ１４は多重化部１５に供給されている。
【００３４】
多重化部１５は、記憶装置から供給されるＨＤＴＶ映像コンテンツ１１およびＨＤＴＶデータコンテンツ１２とＨＤ／ＳＤ変換部１３から供給されるＳＤＴＶデータコンテンツ１４を多重化するものであって、その出力は変調部１６に供給されている。変調部１６は、多重化部１５から供給される多重化されたコンテンツを変調するものであって、その出力はＲＦ送信部１７に供給されている。ＲＦ送信部１７は、変調部１０４からの変調されたコンテンツ（データ放送コンテンツ）を送信する部分である。このＲＦ送信部１７から送信されたデータ放送コンテンツがＩＲＤ２にて受信される。
【００３５】
ＩＲＤ２は、ＲＦ送信部１８、復調部１９、多重分離部２０、ダウンスケール部２４、映像・データ合成部２５、２６、ＨＤＴＶ出力端子２７およびＳＤＴＶ出力端子２８からなる。ＨＤＴＶ出力端子２７は、ＨＤＴＶモニタ専用の接続端子であり、ＳＤＴＶ出力端子２８はＳＤＴＶモニタ専用の接続端子である。
【００３６】
ＲＦ送信部１８は、送出システム１から送信されたデータ放送コンテンツを受信する部分であって、その出力は復調部１９に供給されている。復調部１９は、ＲＦ送信部１８にて受信されたデータ放送コンテンツを復調する部分であって、その出力は多重分離部２０に供給されている。多重分離部２０は、復調部１９から供給されたデータ放送コンテンツをＨＤＴＶ映像コンテンツ２１、ＨＤＴＶデータコンテンツ２２、ＳＤＴＶデータコンテンツ２３に分離するものである。分離したコンテンツのうち、ＨＤＴＶデータコンテンツ２２は映像・データ合成部２５に供給され、ＨＤＴＶ映像コンテンツ２１は映像・データ合成部２５およびダウンスケール部２４のそれぞれに供給され、ＳＤＴＶデータコンテンツ２３は映像・データ合成部２６に供給される。
【００３７】
映像・データ合成部２５は、多重分離部２０から供給されたＨＤＴＶ映像コンテンツ２１およびＨＤＴＶデータコンテンツ２２を合成してＨＤＴＶ用表示データを生成する。この生成されたＨＤＴＶ用表示データは、ＨＤＴＶ用端子２７から外部のＨＤＴＶモニタに供給される。
【００３８】
ダウンスケール部２４は、多重分離部２０から供給されたＨＤＴＶ映像コンテンツ２１をＳＤＴＶに適した解像度にダウンスケールするものであって、その出力であるＳＤＴＶ映像コンテンツは映像・データ合成部２６に供給されている。映像・データ合成部２６は、多重分離部２０から供給されたＳＤＴＶデータコンテンツ２３とダウンスケール部２４から供給されたＳＤＴＶ映像コンテンツを合成してＳＤＴＶ用表示データを生成する。この生成されたＳＤＴＶ用表示データは、ＳＤＴＶ用端子２８から外部のＳＤＴＶモニタに供給される。
【００３９】
次に、本実施形態のデータ放送システムの動作を具体的に説明する。
【００４０】
送出システム１では、ＨＤＴＶ映像コンテンツ１１およびＨＤＴＶデータコンテンツ１２が記憶装置から適宜に読み出されると、まず、ＨＤ／ＳＤ変換部１３が、その読み出されたコンテンツのうちのＨＤＴＶデータコンテンツ１２をＳＤＴＶデータコンテンツ１４にＨＤ／ＳＤ変換する。続いて、多重分離部１５が、記憶装置から読み出されたＨＤＴＶ映像コンテンツ１１およびＨＤＴＶデータコンテンツ１２とＨＤ／ＳＤ変換部１３から出力されたＳＤＴＶデータコンテンツ１４を多重化する。この多重化されたコンテンツが、変調部１６にて変調されてＲＦ送信部１７からデータ放送コンテンツとして送信される。
【００４１】
ＩＲＤ２では、送出システム１から送信されたデータ放送コンテンツがＲＦ受信部１８で受信される。受信されたデータ放送コンテンツは、復調部１９にて復調された後、多重分離部２０にて、ＨＤＴＶ映像コンテンツ２１、ＨＤＴＶデータコンテンツ２２およびＳＤＴＶデータコンテンツ２３に分離される。
【００４２】
ＨＤＴＶ用出力端子２７にＨＤＴＶモニタが接続されている場合は、映像・データ合成部２５が、多重分離部２０にて分離されたＨＤＴＶ映像コンテンツ２１およびＨＤＴＶデータコンテンツ２２を合成してＨＤＴＶ用表示データを生成する。こうして生成されたＨＤＴＶ用表示データが、ＨＤＴＶ用出力端子２７に接続されたＨＤＴＶモニタに供給される。ＨＤＴＶモニタ上では、ＨＤＴＶ用出力端子２７を介して供給されたＨＤＴＶ用表示データが表示される。
【００４３】
他方、ＳＤＴＶ用出力端子２８にＳＤＴＶモニタが接続されている場合は、まず、ダウンスケール部２４が、多重分離部２０にて分離されたＨＤＴＶ映像コンテンツ２１をＳＤＴＶに適した解像度にダウンスケールしてＳＤＴＶ映像コンテンツを生成する。続いて、映像・データ合成部２６が、多重分離部２０にて分離されたＳＤＴＶデータコンテンツ２３とダウンスケール部２４にて生成されたＳＤＴＶ映像コンテンツを合成してＳＤＴＶ用表示データを生成する。こうして生成されたＳＤＴＶ用表示データが、ＳＤＴＶ用端子２８に接続されたＳＤＴＶモニタに供給される。ＳＤＴＶモニタ上では、ＳＤＴＶ用出力端子２８を介して供給されたＳＤＴＶ用表示データが表示される。
【００４４】
以上説明した本実施形態のデータ放送システムの特徴は、送信システム１において、ＨＤＴＶ映像データコンテンツに連動したＨＤＴＶデータコンテンツからＳＤＴＶモニタに適した解像度を持つＳＤＴＶデータコンテンツを生成し、この生成したＳＤＴＶデータコンテンツをＨＤＴＶ映像データコンテンツおよびＨＤＴＶデータコンテンツと多重化して送信する点と、ＩＲＤ２において、ＳＤＴＶモニタが接続された場合に、ＨＤＴＶ映像コンテンツをダウンスケールして得られるＳＤＴＶ映像コンテンツと送信システム１から受信したＳＤＴＶデータコンテンツとを合成してＳＤＴＶ用表示データを生成する点にある。この特徴によれば、従来のような、ＨＤＴＶ映像データコンテンツとＨＤＴＶデータコンテンツを合成したＨＤＴＶ用表示データをダウンスケールしてＳＤＴＶ用表示データを生成する場合とは異なり、文字などの潰れのない良好な表示画像を得られる。
【００４５】
ＨＤ／ＳＤ変換部１３における、ＨＤＴＶデータコンテンツからＳＤＴＶデータコンテンツへのＨＤ／ＳＤ変換にはいくつかの方法がある。以下に、具体的なＨＤ／ＳＤ変換例を挙げる。
【００４６】
（ＨＤ／ＳＤ変換例１）
ここでは、ＨＤＴＶデータコンテンツにおける文字のフォントのサイズをおよび種類をＳＤＴＶモニタに適したものに変換する方法を説明する。
【００４７】
図２は、ＨＤ／ＳＤ変換の第１の実施例を示すものであって、（ａ）はＨＤＴＶデータコンテンツのＢＭＬ文書の一例、（ｂ）は（ａ）のＨＤＴＶデータコンテンツをＨＤ／ＳＤ変換して得られるＳＤＴＶデータコンテンツのＢＭＬ文書の一例である。図３（ａ）は、図２（ａ）のＨＤＴＶデータコンテンツの表示画面、図３（ｂ）は図２（ｂ）のＳＤＴＶデータコンテンツの表示画面をそれぞれ模式的に示したものである。
【００４８】
図２（ａ）に示すように、ＨＤＴＶデータコンテンツのＢＭＬ文書中には、フォントサイズを指定した記述（「font-size:30px」）、フォント種類を指定した記述（「font-family:太丸ゴシック」）、表示文字の記述（「あいうえお」）がある。この記述例の場合は、図３（ａ）に示すように、フォントサイズが３０ｐｘで、フォント種類が太丸ゴシックの「あいうえお」という文字が、ＨＤＴＶモニタの画面に表示される。
【００４９】
ＨＤ／ＳＤ変換部１３では、図２（ａ）に示したＢＭＬ文書の記述が、図２（ｂ）に示すようなＳＤＴＶモニタに適した記述に変換される。図２（ｂ）の例では、フォントサイズは「30px」から「16px」に変換され、フォント種類は「太丸ゴシック」から「丸ゴシック」に変換されている。この記述例の場合は、図３（ｂ）に示すように、フォントサイズが１６ｐｘで、フォント種類が丸ゴシックの「あいうえお」という文字が、ＳＤＴＶモニタの画面に表示される。このようにＢＭＬ文書中の文字のサイズや種類を指定した記述を直接、ＨＤ／ＳＤ変換することで、文字の潰れなどのない良好な画面表示が実現される。
【００５０】
図４に、ＢＭＬ文書中の文字のサイズや種類を指定した記述をＨＤ／ＳＤ変換する手順の一例を示す。この例では、ＨＤ／ＳＤ変換部１３は、フォントサイズに関する第１のＨＤ／ＳＤ変換用テーブルと、フォント種類に関する第２の第１のＨＤ／ＳＤ変換用テーブルを有しており、これらテーブルを使用して以下のような手順でＨＤ／ＳＤ変換処理を行う。第１のＨＤ／ＳＤ変換用テーブルには、複数のＨＤＴＶ用のフォントサイズが格納されており、これらフォントサイズ毎に、対応するＳＤＴＶ用のフォントサイズが関連付けられて格納されている。第２のＨＤ／ＳＤ変換用テーブルには、複数のＨＤＴＶ用のフォントの種類が格納されており、これらフォントの種類毎に、対応するＳＤＴＶ用のフォント種類が関連付けられて格納されている。
【００５１】
まず、ＨＤＴＶデータコンテンツを読み込み（ステップＳ１０１）、そのＢＭＬ文書中にフォントサイズに関する記述があるかどうかを調べる（ステップＳ１０２）。フォントサイズに関する記述があった場合は、その記述を第１のＨＤ／ＳＤ変換用テーブルを用いてＳＤＴＶ用のフォントサイズの記述に変換する（ステップＳ１０３）。そして、フォントサイズに関する記述の検索がＢＭＬ文書の最後まで行われた否かが確認される（ステップＳ１０４）。この確認で、「Ｎｏ」となった場合は、ステップＳ１０２に戻り、「Ｙｅｓ」となった場合は、ＢＭＬ文書の先頭に戻る（ステップＳ１０５）。ステップＳ１０２でフォントサイズに関する記述がなかった場合は、ステップＳ１０３は行わずにステップＳＳ１０４に移行する。
【００５２】
ステップＳ１０５でＢＭＬ文書の先頭に戻ると、続いて、フォント種類に関する記述があるかどうかを調べる（ステップＳ１０６）。フォント種類に関する記述があった場合は、その記述を第２のＨＤ／ＳＤ変換用テーブルを用いてＳＤＴＶ用のフォント種類の記述に変換する（ステップＳ１０７）。そして、フォント種類に関する記述の検索がＢＭＬ文書の最後まで行われた否かが確認される（ステップＳ１０８）。この確認で、「Ｎｏ」となった場合は、ステップＳ１０６に戻り、「Ｙｅｓ」となった場合は、ＨＤ／ＳＤ変換処理を終了する。ステップＳ１０６でフォント種類に関する記述がなかった場合は、ステップＳ１０７は行わずにステップＳＳ１０８に移行する。
【００５３】
以上のＨＤ／ＳＤ変換処理では、フォントのサイズおよび種類の両方を変換するようになっているが、フォントのサイズまたは種類のみを変換するようにしてもよい。
【００５４】
（ＨＤ／ＳＤ変換例２）
ここでは、ＨＤＴＶデータコンテンツにおける文字や図形の表示位置をＳＤＴＶモニタに適した表示位置に変換する方法を説明する。
【００５５】
図５は、ＨＤ／ＳＤ変換の第２の実施例を示すものであって、（ａ）はＨＤＴＶデータコンテンツのＢＭＬ文書の一例、（ｂ）は（ａ）のＨＤＴＶデータコンテンツをＨＤ／ＳＤ変換して得られるＳＤＴＶデータコンテンツのＢＭＬ文書の一例である。図６（ａ）は、図５（ａ）のＨＤＴＶデータコンテンツの表示画面、図６（ｂ）は図５（ｂ）のＳＤＴＶデータコンテンツの表示画面をそれぞれ模式的に示したものである。
【００５６】
図５（ａ）に示すように、ＨＤＴＶデータコンテンツのＢＭＬ文書中には、文字の表示位置を指定した記述（「<P style="left:30px;top:40px">かきくけこ</P>」）、図形の表示位置を指定した記述（「<object data="hosi.png" style="left:100px;top:80px"/>」）がある。この記述例の場合は、図６（ａ）に示すように、ＨＤＴＶモニタの画面（縦１２０ｐｘ、横１５０ｐｘ）上で、「かきくけこ」という文字が上から４０ｐｘ、左から３０ｐｘの位置に表示され、星印が上から８０ｐｘ、左から１００ｐｘの位置に表示される。
【００５７】
ＨＤ／ＳＤ変換部１３では、図５（ａ）に示したＢＭＬ文書中の表示位置を指定した値に所定の比率を掛け合わせることで、図５（ｂ）に示すようなＳＤＴＶモニタに適した表示位置への変換が行われる。ここで、所定の比率は、ＨＤＴＶモニタの表示画面とＳＤＴＶモニタの表示画面の縦、横のそれぞれにおける解像度の比率である。図５の（ａ）および（ｂ）に示したＨＤ／ＳＤ変換例では、ＨＤＴＶモニタの表示画面の縦横比が３：５、ＳＤＴＶモニタの表示画面の縦横比が２：４で、縦の解像度の比率が２／３、横の解像度の比率が４／５とされている。図５（ｂ）の例では、文字の表示位置を指定した記述において、「left」の値は、
３０ｐｘ×（４／５）＝２４ｐｘ
となり、「top」の値は、
４０ｐｘ×（２／３）＝２６ｐｘ（小数点以下は切り捨て）
となる。また、図形の表示位置を指定した記述において、「left」の値は、
１００ｐｘ×（４／５）＝８０ｐｘ
となり、「top」の値は、
８０ｐｘ×（２／３）＝５３ｐｘ（小数点以下は切り捨て）
となる。
【００５８】
図５（ｂ）の記述例の場合は、図６（ｂ）に示すように、ＳＤＴＶモニタの画面（縦８０ｐｘ、横１２０ｐｘ）上で、「かきくけこ」という文字が上から２６ｐｘ、左から２４ｐｘの位置に表示され、星印が上から５３ｐｘ、左から８０ｐｘの位置に表示される。このように、ＢＭＬ文書中の文字や図形の表示位置を指定した記述を直接、ＨＤ／ＳＤ変換することで、文字や図形に潰れなどのない良好な画面表示が実現される。
【００５９】
図７に、ＢＭＬ文書中の文字や図形の表示位置を指定した記述をＨＤ／ＳＤ変換する手順の一例を示す。この例では、ＨＤ／ＳＤ変換部１３は、縦の解像度の比率、横の解像度が予め設定されており、以下のような手順でＨＤ／ＳＤ変換を行う。
【００６０】
まず、ＨＤＴＶデータコンテンツを読み込み（ステップＳ２０１）、そのＢＭＬ文書中に文字や図形の位置情報に関する記述があるかどうかを調べる（ステップＳ２０２）。文字や図形の位置情報に関する記述があった場合は、その記述をＳＤＴＶ用の位置情報に関する記述に変換する（ステップＳ２０３）。具体的には、ＨＤＴＶ用の位置情報の「top」の値に予め設定されている縦の解像度の比率を掛け合わせ、「left」の値に予め設定されている横の解像度の比率を掛け合わせる。この変換の後、フォントサイズに関する記述の検索がＢＭＬ文書の最後まで行われた否かが確認される（ステップＳ２０４）。この確認で、「Ｎｏ」となった場合は、ステップＳ２０２に戻り、「Ｙｅｓ」となった場合は、ＨＤ／ＳＤ変換処理を終了する。ステップＳ２０２でフォントサイズに関する記述がなかった場合は、ステップＳ２０３は行わずにステップＳ２０４に移行する。
【００６１】
（ＨＤ／ＳＤ変換例３）
ここでは、ＨＤＴＶデータコンテンツにおける図形のサイズをＳＤＴＶモニタに適したサイズに変換する方法を説明する。
【００６２】
図８は、ＨＤ／ＳＤ変換の第３の実施例を示すものであって、（ａ）はＨＤＴＶデータコンテンツのＢＭＬ文書の一例、（ｂ）は（ａ）のＨＤＴＶデータコンテンツをＨＤ／ＳＤ変換して得られるＳＤＴＶデータコンテンツのＢＭＬ文書の一例である。図９（ａ）は、図８（ａ）のＨＤＴＶデータコンテンツの表示画面、図９（ｂ）は図８（ｂ）のＳＤＴＶデータコンテンツの表示画面をそれぞれ模式的に示したものである。
【００６３】
図８（ａ）に示すように、ＨＤＴＶデータコンテンツのＢＭＬ文書中には、図形のサイズを指定した記述（「<object data="abc.png" style="width:100px;hight:80px"/>」）がある。この記述例の場合は、図９（ａ）に示すように、ＨＤＴＶモニタの画面（縦１２０ｐｘ、横１５０ｐｘ）上に、「"abc.png"」で指定された図形（ここでは、車両の画像）が縦８０ｐｘ、横１００ｐｘのサイズで表示される。
【００６４】
ＨＤ／ＳＤ変換部１３では、図８（ａ）に示したＢＭＬ文書中の図形サイズ（縦、横）の値に所定の比率を掛け合わせることで、ＳＤＴＶモニタに適したサイズへの変換が行われる。ここで、所定の比率は、上述の第２のＨＤ／ＳＤ変換例で説明したような、ＳＤＴＶモニタの表示画面のＨＤＴＶモニタの表示画面に対する縦、横の解像度の比率であるが、元の図形サイズの縦横比を維持する場合は、横または縦の解像度の比率の一方を固定的に用いることもできる。本例では、所定の比率として、縦の解像度の比率（２／３）を用いて、図８（ｂ）に示すような記述に変換する。具体的には、図形のサイズを指定した記述において、「width」の値は、
１００ｐｘ×（２／３）＝６６ｐｘ（小数点以下は切り捨て）
となり、「hight」の値は、
８０ｐｘ×（２／３）＝５３ｐｘ（小数点以下は切り捨て）
となる。
【００６５】
図８（ｂ）の記述例の場合は、図９（ｂ）に示すように、ＳＤＴＶモニタの画面（縦８０ｐｘ、横１２０ｐｘ）上に、図形（車両）が縦５３ｐｘ、横６６ｐｘのサイズで表示される。このように、ＢＭＬ文書中の図形のサイズを指定した記述を直接、ＨＤ／ＳＤ変換することで、図形に潰れなどのない良好な画面表示が実現される。
【００６６】
図１０に、ＢＭＬ文書中の図形のサイズを指定した記述をＨＤ／ＳＤ変換する手順の一例を示す。この例では、ＨＤ／ＳＤ変換部１３は、縦の解像度の比率（２／３）が予め設定されており、以下のような手順でＨＤ／ＳＤ変換を行う。
【００６７】
まず、ＨＤＴＶデータコンテンツを読み込み（ステップＳ３０１）、そのＢＭＬ文書中に図形のサイズに関する記述があるかどうかを調べる（ステップＳ３０２）。図形のサイズに関する記述があった場合は、その記述をＳＤＴＶに適したサイズの記述に変換する（ステップＳ３０３）。具体的には、ＨＤＴＶ用の図形の「width」および「hight」の値に縦の解像度の比率（２／３）をそれぞれ掛け合わせる。この変換の後、図形のサイズに関する記述の検索がＢＭＬ文書の最後まで行われた否かが確認される（ステップＳ３０４）。この確認で、「Ｎｏ」となった場合は、ステップＳ３０２に戻り、「Ｙｅｓ」となった場合は、ＨＤ／ＳＤ変換処理を終了する。ステップＳ３０２で図形のサイズに関する記述がなかった場合は、ステップＳ３０３は行わずにステップＳ３０４に移行する。
【００６８】
（ＨＤ／ＳＤ変換例４）
ここでは、ＨＤＴＶデータコンテンツにおける図形（表）の線のサイズをＳＤＴＶモニタに適したサイズに変換する方法を説明する。
【００６９】
図１１は、ＨＤ／ＳＤ変換の第４の実施例を示すものであって、（ａ）はＨＤＴＶデータコンテンツのＢＭＬ文書の一例、（ｂ）は（ａ）のＨＤＴＶデータコンテンツをＨＤ／ＳＤ変換して得られるＳＤＴＶデータコンテンツのＢＭＬ文書の一例である。図１２（ａ）は、図１１（ａ）のＨＤＴＶデータコンテンツの表示画面、図１２（ｂ）は図１１（ｂ）のＳＤＴＶデータコンテンツの表示画面をそれぞれ模式的に示したものである。
【００７０】
図１１（ａ）に示すように、ＨＤＴＶデータコンテンツのＢＭＬ文書中には、線のサイズを指定した記述（「<table style="boder-width:2px">」がある。この記述例の場合は、図１２（ａ）に示すように、ＨＤＴＶモニタの画面上に、線幅が２ｐｘの表が表示される。
【００７１】
ＨＤ／ＳＤ変換部１３では、図１１（ａ）に示したＢＭＬ文書中の表の線のサイズの値に所定の比率を掛け合わせることで、ＳＤＴＶモニタに適したサイズへの変換が行われる。ここで、所定の比率は、上述の第２のＨＤ／ＳＤ変換例で説明したような、ＳＤＴＶモニタの表示画面のＨＤＴＶモニタの表示画面に対する縦、横の解像度の比率であるが、上述の第３のＨＤ／ＳＤ変換例のように、それら横および縦の解像度の比率の一方を固定的に用いることもできる。本例では、所定の比率を（１／２）として、図１１（ｂ）に示すような記述に変換する。具体的には、表の線のサイズを指定した記述において、「boder-width」の値が、
２ｐｘ×（１／２）＝１ｐｘ
となる。
【００７２】
図１１（ｂ）の記述例の場合は、図１２（ｂ）に示すように、ＳＤＴＶモニタの画面上に、線幅が１ｐｘの表が表示される。このように、ＢＭＬ文書中の表の線のサイズを指定した記述を直接、ＨＤ／ＳＤ変換することで、線が表示されなくなるといった問題が解決されて良好な画面表示が実現される。
【００７３】
図１３に、ＢＭＬ文書中の表の線のサイズを指定した記述をＨＤ／ＳＤ変換する手順の一例を示す。この例では、ＨＤ／ＳＤ変換部１３は、線のサイズの変換を行うための比率として（１／２）が予め設定されており、以下のような手順でＨＤ／ＳＤ変換を行う。
【００７４】
まず、ＨＤＴＶデータコンテンツを読み込み（ステップＳ４０１）、そのＢＭＬ文書中に表の線のサイズに関する記述があるかどうかを調べる（ステップＳ４０２）。表の線のサイズに関する記述があった場合は、その記述をＳＤＴＶに適したサイズの記述に変換する（ステップＳ４０３）。具体的には、「boder-width」の値に比率（１／２）を掛け合わせる。この変換の後、表の線のサイズに関する記述の検索がＢＭＬ文書の最後まで行われた否かが確認される（ステップＳ４０４）。この確認で、「Ｎｏ」となった場合は、ステップＳ４０２に戻り、「Ｙｅｓ」となった場合は、ＨＤ／ＳＤ変換処理を終了する。ステップＳ４０２で図形のサイズに関する記述がなかった場合は、ステップＳ４０３は行わずにステップＳ４０４に移行する。
【００７５】
（ＨＤ／ＳＤ変換例５）
ここでは、ＩＲＤ２に接続されるＳＤＴＶモニタとして、画面の横と縦の比が「４：３」と「１６：９」の２種類のＳＤＴＶモニタが選択的に接続される場合に、ＨＤＴＶデータコンテンツの表示画面をそれぞれのＳＤＴＶモニタに適した画面に変換する方法を説明する。
【００７６】
図１４は、ＨＤＴＶデータコンテンツを「４：３」用のＳＤＴＶデータコンテンツに変換した場合の表示画面を模式的に示すものであって、（ａ）はＨＤＴＶ画面の表示例、（ｂ）は「４：３」のＳＤＴＶ画面の表示例、（ｃ）は「１６：９」のＳＤＴＶ画面の表示例である。「４：３」用のＳＤＴＶデータコンテンツをそのまま「１６：９」のＳＤＴＶ画面に表示した場合は、画面の両側が未表示領域（黒枠）となる。この未表示領域をなくすため、ＨＡ／ＳＤ変換部１３は、まず、ＨＤＴＶデータコンテンツのＢＭＬ文書を図１５（ａ）に示すような「４：３」用のＳＤＴＶデータコンテンツのＢＭＬ文書にＨＤ／ＳＤ変換する。続いて、その「４：３」用のＳＤＴＶデータコンテンツのＢＭＬ文書を図１５（ｂ）に示すような「１６：９」用のＳＤＴＶデータコンテンツのＢＭＬ文書に変換する。この変換では、枠追加に関する記述がＢＭＬ文書に追加されている。こうして変換した「４：３」用および「１６：９」用のＳＤＴＶデータコンテンツはそれぞれ多重化部１５に供給され、ＨＤＴＶ映像コンテンツ１１およびＨＤＴＶデータコンテンツ１２と多重化される。
【００７７】
ＩＲＤ２には、「４：３」および「１６：９」のいずれかの画面比率を選択するためのスイッチ部が設けられており、操作者は、このスイッチ部にて、ＳＤＴＶ用出力端子２８に接続したＳＤＴＶモニタの画面比率に応じた切り替え操作を行うことができる。
【００７８】
ＩＲＤ２では、受信したデジタル放送データが多重分離部２０にて、ＨＤＴＶ映像コンテンツ２１、ＨＤＴＶデータコンテンツ２２、ＳＤＴＶデータコンテンツ２３に分離される。ＳＤＴＶデータコンテンツ２３は、「４：３」用および「１６：９」用のＳＤＴＶデータコンテンツを含み、それぞれ映像・データ合成部２６に供給される。スイッチ部にて「４：３」の画面比率が選択されている場合は、映像・データ合成部２６は、「４：３」用のＳＤＴＶデータコンテンツとダウンスケール部２４から供給されるＳＤＴＶ映像コンテンツとを合成してＳＤＴＶ用表示データを生成する。スイッチ部にて「１６：９」の画面比率が選択されている場合は、映像・データ合成部２６は、「１６：９」用のＳＤＴＶデータコンテンツとダウンスケール部２４から供給されるＳＤＴＶ映像コンテンツとを合成してＳＤＴＶ用表示データを生成する。
【００７９】
上述の動作によれば、「４：３」のＳＤＴＶモニタをＩＲＤ２に接続した場合は、スイッチ部にて「４：３」の画面比率を選択することで、「４：３」用のＳＤＴＶデータコンテンツが画面に表示される。また、「１６：９」のＳＤＴＶモニタをＩＲＤ２に接続した場合は、スイッチ部にて「１６：９」の画面比率を選択することで、「１６：９」用のＳＤＴＶデータコンテンツが画面に表示される。この場合の画面は、例えば図１６に示すような、未表示領域に枠が追加されたものとなる。
【００８０】
なお、上記の説明では、「１６：９」用のＳＤＴＶデータコンテンツは「４：３」用のＳＤＴＶデータコンテンツから作成するようにしているが、ＨＤＴＶデータコンテンツから直接作成してもよい。また、ＨＤＴＶデータコンテンツから「１６：９」用のＳＤＴＶデータコンテンツを作成し、この作成した「１６：９」用のＳＤＴＶデータコンテンツから「４：３」用のＳＤＴＶデータコンテンツを作成することも可能である。さらに、ＳＤＴＶ画面上で枠などの表示位置がずれるような場合は、「１６：９」用のＳＤＴＶデータコンテンツのＢＭＬ文書にそのようなずれに対応した修正用の位置データを追加することも可能である。
【００８１】
（ＨＤ／ＳＤ変換例５）
ここでは、ＩＲＤ２に接続されるＳＤＴＶモニタとして、表示特性（例えばガンマ特性）の異なる複数種類のＳＤＴＶモニタ、例えばブラウン管、ＬＣＤ、プラズマの３種類のＳＤＴＶモニタが選択的に接続される場合に、ＨＤＴＶデータコンテンツの表示画面をそれぞれのＳＤＴＶモニタの表示特性に適した画面に変換する方法を説明する。
【００８２】
ＨＤ／ＳＤ変換部１３は、ブラウン管、ＬＣＤ、プラズマの各ＳＤＴＶモニタの表示特性に関する変換用データ（係数）が予め与えられており、ＨＤＴＶデータコンテンツをＨＤ／ＳＤ変換して得られるＳＤＴＶデータコンテンツの画像のデータにそれら変換用データ（係数）に基づく変換処理を行う。この変換処理により、ブラウン管用、ＬＣＤ用、プラズマ用の３つのＳＤＴＶデータコンテンツが生成される。これらコンテンツは、それぞれ多重化部１５に供給され、ＨＤＴＶ映像コンテンツ１１およびＨＤＴＶデータコンテンツ１２と多重化される。
【００８３】
ＩＲＤ２には、ブラウン管、ＬＣＤ、プラズマのいれかのモニタ種類を選択するためのスイッチ部が設けられており、操作者は、このスイッチ部にて、ＳＤＴＶ用出力端子２８に接続したＳＤＴＶモニタの種類を設定することができる。
【００８４】
ＩＲＤ２では、受信したデジタル放送データが多重分離部２０にて、ＨＤＴＶ映像コンテンツ２１、ＨＤＴＶデータコンテンツ２２、ＳＤＴＶデータコンテンツ２３に分離される。ＳＤＴＶデータコンテンツ２３は、ブラウン管用、ＬＣＤ用、プラズマ用の３つのＳＤＴＶデータコンテンツを含み、それぞれ映像・データ合成部２６に供給される。
【００８５】
スイッチ部にてブラウン管が選択されている場合は、映像・データ合成部２６は、ブラウン管用用のＳＤＴＶデータコンテンツとダウンスケール部２４から供給されるＳＤＴＶ映像コンテンツとを合成してＳＤＴＶ用表示データを生成する。スイッチ部にてＬＣＤが選択されている場合は、映像・データ合成部２６は、ＬＣＤ用のＳＤＴＶデータコンテンツとダウンスケール部２４から供給されるＳＤＴＶ映像コンテンツとを合成してＳＤＴＶ用表示データを生成する。スイッチ部にてプラズマが選択されている場合は、映像・データ合成部２６は、プラズマ用のＳＤＴＶデータコンテンツとダウンスケール部２４から供給されるＳＤＴＶ映像コンテンツとを合成してＳＤＴＶ用表示データを生成する。
【００８６】
上述の動作によれば、ブラウン管のＳＤＴＶモニタをＩＲＤ２に接続した場合は、スイッチ部にてブラウン管を選択することで、ブラウン管用のＳＤＴＶデータコンテンツが画面に表示される。また、ＬＣＤのＳＤＴＶモニタをＩＲＤ２に接続した場合は、スイッチ部にてＬＣＤを選択することで、ＬＣＤ用のＳＤＴＶデータコンテンツが画面に表示される。また、プラズマのＳＤＴＶモニタをＩＲＤ２に接続した場合は、スイッチ部にてプラズマを選択することで、プラズマ用のＳＤＴＶデータコンテンツが画面に表示される。このようにして、接続したモニタの表示特性に応じたＳＤＴＶデータコンテンツの表示が行われる。
【００８７】
以上説明した本実施形態のデータ放送システムにおいて、送出システム１は、ＨＤＴＶ映像コンテンツおよびＨＤＴＶデータコンテンツに加えて、ＳＤＴＶデータコンテンツを送信するようになっている。ここで、映像とデータのビットレートを考える。データのビットレートは、映像のビットレートに比べると非常に小さい。よって、ＳＤＴＶデータコンテンツを送信することによって放送帯域が圧迫される、といった問題は生じない。
【００８８】
（実施形態２）
図１７は、本発明の第２の実施形態であるデータ放送システムの概略構成を示すブロック図である。このデータ放送システムは、オブジェクト連動データ放送に適用されるものであって、送信システム１ａと図１に示したＩＲＤ２とから構成される。送信システム１ａの構成が異なる以外は、第１の実施形態のものと同じである。説明の重複を避けるため、以下では、特徴となる部分についてのみ説明する。
【００８９】
送信システム１ａは、オブジェクト抽出部３１ａ、３１ｂ、オブジェクト連動データ生成部３２ａ、３２ｂ、ダウンスケール分３３、多重化部１５、変調部１６およびＲＦ送信部１７からなる。この他、図示はされていないが、送信システム１ａは、ＨＤＴＶ映像コンテンツ１１に含まれているオブジェクトの詳細情報が予め格納された詳細情報格納部も有する。
【００９０】
オブジェクト抽出部３１ａは、不図示の記憶装置から適宜に読み出されるＨＤＴＶ映像コンテンツ１１からオブジェクトを抽出し、その抽出したオブジェクトの位置情報（表示画面上における位置情報）をオブジェクト連動データ生成部３２ａに供給する。オブジェクト連動データ生成部３２ａは、詳細情報格納部からオブジェクト抽出部３１ａで抽出されたオブジェクトの詳細情報を取得するとともに、その取得した詳細情報とオブジェクト抽出部３１ａから供給されるオブジェクトの位置情報とを関連付けたＨＤＴＶ用オブジェクト連動データを生成する。このＨＤＴＶ用オブジェクト連動データは、多重化部１５に供給される。
【００９１】
ダウンスケール部３３は、ＨＤＴＶ映像コンテンツ１１をＳＤＴＶに適した解像度にダウンスケールするものであって、その出力であるＳＤＴＶ映像コンテンツはオブジェクト抽出部３１ｂに供給されている。オブジェクト抽出部３１ｂは、ダウンスケール部３３から供給されたＳＤＴＶ映像コンテンツからオブジェクトを抽出し、その抽出したオブジェクトの位置情報をオブジェクト連動データ生成部３２ｂに供給する。オブジェクト連動データ生成部３２ｂは、詳細情報格納部からオブジェクト抽出部３１ｂで抽出されたオブジェクトの詳細情報を取得するとともに、その取得した詳細情報とオブジェクト抽出部３１ｂから供給されるオブジェクトの位置情報とを関連付けたＳＤＴＶ用オブジェクト連動データを生成する。このＳＤＴＶ用オブジェクト連動データは、多重化部１５に供給される。
【００９２】
多重化部１５は、ＨＤＴＶ映像コンテンツ１１と、オブジェクト連動データ生成部３２ａから供給されたＨＤＴＶ用オブジェクト連動データと、オブジェクト連動データ生成部３２ｂから供給されたＳＤＴＶ用オブジェクト連動データとを多重化する。この多重化されたデータは、変調部１６にて変調された後、ＲＦ送信部１７から送信される。
【００９３】
ＩＲＤ２は、図１に示した構成であり、多重分離部２０にて、送出システム１ａから受信したデータ放送コンテンツがＨＤＴＶ映像コンテンツ、ＨＤＴＶ用オブジェクト連動データ、ＳＤＴＶ用オブジェクト連動データに分離される。
【００９４】
ＨＤＴＶ用出力端子２７にＨＤＴＶモニタが接続されている場合は、映像・データ合成部２５が、多重分離部２０にて分離されたＨＤＴＶ映像コンテンツおよびＨＤＴＶ用オブジェクト連動データを合成してＨＤＴＶ用表示データを生成する。こうして生成されたＨＤＴＶ用表示データが、ＨＤＴＶ用出力端子２７に接続されたＨＤＴＶモニタに供給される。この場合、表示画面上でのオブジェクトの位置と詳細情報は正しくリンクされる。
【００９５】
他方、ＳＤＴＶ用出力端子２８にＳＤＴＶモニタが接続されている場合は、まず、ダウンスケール部２４が、多重分離部２０にて分離されたＨＤＴＶ映像コンテンツをＳＤＴＶに適した解像度にダウンスケールしてＳＤＴＶ映像コンテンツを生成する。続いて、映像・データ合成部２６が、多重分離部２０にて分離されたＳＤＴＶ用オブジェクト連動データとダウンスケール部２４にて生成されたＳＤＴＶ映像コンテンツを合成してＳＤＴＶ用表示データを生成する。こうして生成されたＳＤＴＶ用表示データが、ＳＤＴＶ用端子２８に接続されたＳＤＴＶモニタに供給される。この場合も、表示画面上でのオブジェクトの位置と詳細情報は正しくリンクされる。
【００９６】
（実施形態３）
図１８は、本発明の第３の実施形態であるデータ放送システムの概略構成を示すブロック図である。このデータ放送システムは、ＨＤ／ＳＤ変換部１３をＩＲＤ２側に設けたものである。すなわち、ＩＲＤ２は、多重分離部２０で分離されたＨＤＴＶデータコンテンツ２２が、映像・データ合成部２５およびＨＤ／ＳＤ変換部１３にそれぞれ供給され、ＨＤ／ＳＤ変換部１３にてＨＤ／ＳＤ変換されたＳＤＴＶデータコンテンツ２３がダウンスケール部２４からのＳＤＴＶ映像コンテンツとともに映像・データ合成部２６に供給されるように構成されている。これ以外の構成は、図１に示したものと同じである。説明の重複を避けるため、以下では、特徴となる部分についてのみ説明する。
【００９７】
送出システム１では、多重化部１５にて、ＨＤＴＶ映像コンテンツ１１およびＨＤＴＶデータコンテンツ１２が多重化される。この多重化されたコンテンツは、変調部１６にて変調された後、ＲＦ送信部１７にて送信される。
【００９８】
ＩＲＤ２では、送出システム１からのデータ放送コンテンツはＲＦ受信部１８で受信される。受信したコンテンツは復調部１９にて復調され、多重分離部２０にてＨＤＴＶ映像コンテンツ２１およびＨＤＴＶデータコンテンツ２２に分離される。
【００９９】
ＨＤＴＶ用出力端子２７にＨＤＴＶモニタが接続されている場合は、映像・データ合成部２５が、多重分離部２０にて分離されたＨＤＴＶ映像コンテンツ２１およびＨＤＴＶデータコンテンツ２２を合成してＨＤＴＶ用表示データを生成する。こうして生成されたＨＤＴＶ用表示データが、ＨＤＴＶ用出力端子２７に接続されたＨＤＴＶモニタに供給される。ＨＤＴＶモニタ上では、ＨＤＴＶ用出力端子２７を介して供給されたＨＤＴＶ用表示データが表示される。
【０１００】
他方、ＳＤＴＶ用出力端子２８にＳＤＴＶモニタが接続されている場合は、ダウンスケール部２４が、多重分離部２０にて分離されたＨＤＴＶ映像コンテンツ２１をＳＤＴＶに適した解像度にダウンスケールしてＳＤＴＶ映像コンテンツを取得するとともに、ＨＤ／ＳＤ変換部１３が、多重分離部２０にて分離されたＨＤＴＶデータコンテンツ２２をＨＤ／ＳＤ変換してＳＤＴＶデータコンテンツ２３を取得する。そして、映像・データ合成部２６が、それらＳＤＴＶ映像コンテンツおよびＳＤＴＶデータコンテンツ２３を合成してＳＤＴＶ用表示データを生成する。こうして生成されたＳＤＴＶ用表示データが、ＳＤＴＶ用端子２８に接続されたＳＤＴＶモニタに供給される。ＳＤＴＶモニタ上では、ＳＤＴＶ用出力端子２８を介して供給されたＳＤＴＶ用表示データが表示される。
【０１０１】
本実施形態においても、ＨＤ／ＳＤ変換部１３にて第１の実施形態の場合と同様なＨＤ／ＳＤ変換が行われるので、第１の実施形態の場合と同様な効果を得られる。
【０１０２】
以上説明した各実施形態のデータ放送システムは、放送波（地上波、ＢＳ、ＣＳなどを含む）によりデータ放送を行う形態やケーブルテレビによる放送形態など、種々の放送形態に適用可能である。
【０１０３】
また、各実施形態の構成は本発明の一例であり、発明趣旨を逸脱しない範囲で適宜変更することが可能である。例えば、ＨＤ／ＳＤ変換の際に、以下のようなスムージング処理を行うようにしてもよい。
【０１０４】
図１９の（ａ）〜（ｄ）に、ＨＤ／ＳＤ変換の際のスムージング処理を模式的に示す。図１９（ａ）は、ＨＤＴＶモニタの画面（縦４８０ｐｘ、横７２０ｐｘ）の表示例で、画面中央に図形（三角形）が表示されている。図１９（ｂ）は、ＳＤＴＶモニタの画面（縦２４０ｐｘ、横３２０ｐｘ）の表示例で、図１９（ａ）に示した図形をＨＤ／ＳＤ変換したものである。図１９（ｃ）は、図１９（ａ）に示した図形の辺部を拡大した図であり、図１９（ｄ）は、図１９（ｂ）に示した図形の辺部を拡大した図である。
【０１０５】
図１９の（ｃ）および（ｄ）を比較すると、ＨＤＴＶモニタの画面に表示された図形の辺部におけるドットの並びは比較的にスムーズであるのに対して、ＳＤＴＶモニタの画面に表示された図形の辺部におけるドットの並びはスムーズではない。このため、ＳＤＴＶモニタの画面の表示において、ジャギー等が目立つ場合がある。これを防止するために、ＨＤ／ＳＤ変換部１３では、ＨＤ／ＳＤ変換の際に、図１９（ｅ）に示すように、ドットの並びがスムーズになるように補完色を追加する処理を行う。この補完色の追加処理には、一般に行われているデジタル画像処理のスムージングを適用することができる。
【図面の簡単な説明】
【０１０６】
【図１】本発明の第１の実施形態であるデータ放送システムの概略構成を示すブロック図である。
【図２】図１に示すデータ放送システムにおいて行われるＨＤ／ＳＤ変換の第１の実施例を説明するための図であって、（ａ）はＨＤＴＶデータコンテンツのＢＭＬ文書の一例を示す図、（ｂ）はＳＤＴＶデータコンテンツのＢＭＬ文書の一例を示す図である
【図３】（ａ）は、図２（ａ）のＨＤＴＶデータコンテンツの表示画面の模式図、（ｂ）は図２（ｂ）のＳＤＴＶデータコンテンツの表示画面の模式図である。
【図４】図１に示すデータ放送システムにおいて行われるＨＤ／ＳＤ変換の第１の実施例の手順を示すフローチャートである。
【図５】図１に示すデータ放送システムにおいて行われるＨＤ／ＳＤ変換の第２の実施例を説明するための図であって、（ａ）はＨＤＴＶデータコンテンツのＢＭＬ文書の一例を示す図、（ｂ）はＳＤＴＶデータコンテンツのＢＭＬ文書の一例を示す図である。
【図６】（ａ）は、図５（ａ）のＨＤＴＶデータコンテンツの表示画面の模式図、（ｂ）は図５（ｂ）のＳＤＴＶデータコンテンツの表示画面の模式図である。
【図７】図１に示すデータ放送システムにおいて行われるＨＤ／ＳＤ変換の第２の実施例の手順を示すフローチャートである。
【図８】図１に示すデータ放送システムにおいて行われるＨＤ／ＳＤ変換の第３の実施例を説明するための図であって、（ａ）はＨＤＴＶデータコンテンツのＢＭＬ文書の一例を示す図、（ｂ）はＳＤＴＶデータコンテンツのＢＭＬ文書の一例を示す図である。
【図９】（ａ）は、図８（ａ）のＨＤＴＶデータコンテンツの表示画面の模式図、（ｂ）は図８（ｂ）のＳＤＴＶデータコンテンツの表示画面の模式図である。
【図１０】図１に示すデータ放送システムにおいて行われるＨＤ／ＳＤ変換の第３の実施例の手順を示すフローチャートである。
【図１１】図１に示すデータ放送システムにおいて行われるＨＤ／ＳＤ変換の第４の実施例を説明するための図であって、（ａ）はＨＤＴＶデータコンテンツのＢＭＬ文書の一例を示す図、（ｂ）はＳＤＴＶデータコンテンツのＢＭＬ文書の一例を示す図である。
【図１２】（ａ）は、図１１（ａ）のＨＤＴＶデータコンテンツの表示画面の模式図、（ｂ）は図１１（ｂ）のＳＤＴＶデータコンテンツの表示画面の模式図である。
【図１３】図１に示すデータ放送システムにおいて行われるＨＤ／ＳＤ変換の第４の実施例の手順を示すフローチャートである。
【図１４】図１に示すデータ放送システムにおいて行われるＨＤ／ＳＤ変換の第５の実施例を説明するための図であって、（ａ）はＨＤＴＶ画面の表示例を示す模式図、（ｂ）は「４：３」のＳＤＴＶ画面の表示例を示す模式図、（ｃ）は「１６：９」のＳＤＴＶ画面の表示例を示す模式図である。
【図１５】（ａ）は、ＨＤＴＶデータコンテンツのＢＭＬ文書の一例を示す図、（ｂ）は「４：３」用のＳＤＴＶデータコンテンツのＢＭＬ文書の一例を示す図である。
【図１６】未表示領域に枠が追加された画面の一例を示す模式図である。
【図１７】本発明の第２の実施形態であるデータ放送システムの概略構成を示すブロック図である。
【図１８】本発明の第３の実施形態であるデータ放送システムの概略構成を示すブロック図である。
【図１９】（ａ）〜（ｄ）は、ＨＤ／ＳＤ変換の際のスムージング処理を説明するための模式図である。
【図２０】従来のデータ放送システムの概略構成を示すブロック図である。
【図２１】ダウンスケールによるデータコンテンツの画質劣化を説明するための模式図である。
【図２２】オブジェクト連動データとＨＤＴＶ用表示データおよびＳＤＴＶ用表示データとの関係を示す模式図である。
【符号の説明】
【０１０７】
１  送出システム
２  受信機
１１、２１  ＨＤＴＶ映像コンテンツ
１２、２２  ＨＤＴＶデータコンテンツ
１３  ＨＤ／ＳＤ変換部
１４、２３  ＳＤＴＶデータコンテンツ
１５  多重化部
１６  変調部
１７  ＲＦ送信部
１８  ＲＦ受信部
１９  復調部
２０  多重分離部
２４  ダウンスケール部
２５、２６  映像・データ合成部
【図１】
2005277839.tif 000003
【図２】
2005277839.tif 000004
【図３】
2005277839.tif 000005
【図４】
2005277839.tif 000006
【図５】
2005277839.tif 000007
【図６】
2005277839.tif 000008
【図７】
2005277839.tif 000009
【図８】
2005277839.tif 000010
【図９】
2005277839.tif 000011
【図１０】
2005277839.tif 000012
【図１１】
2005277839.tif 000013
【図１２】
2005277839.tif 000014
【図１３】
2005277839.tif 000015
【図１４】
2005277839.tif 000016
【図１５】
2005277839.tif 000017
【図１６】
2005277839.tif 000018
【図１７】
2005277839.tif 000019
【図１８】
2005277839.tif 000020
【図１９】
2005277839.tif 000021
【図２０】
2005277839.tif 000022
【図２１】
2005277839.tif 000023
【図２２】
2005277839.tif 000024